(57)【要約】【課題】他の通信端末と連携して動作可能な携帯端末において表示画面を照らす発光部の動作を適切に制御できるようにする。【解決手段】ユーザの装着部位に装着される携帯端末は、第１表示画面と、前記第１表示画面を照らす第１発光部と、第２表示画面及び前記第２表示画面を照らす第２発光部を有する通信端末と通信を行う通信部と、前記第２発光部が所定値よりも大きい発光強度で前記第２表示画面を照らしている発光情報を前記通信端末から受信すると、前記第１発光部の発光強度を、前記第２発光部の発光強度に対応する大きさに制御する制御部と、を備える。【選択図】図５
2018018093.tif 000002
【特許請求の範囲】
【請求項１】
ユーザの装着部位に装着される携帯端末であって、
第１表示画面と、
前記第１表示画面を照らす第１発光部と、
第２表示画面及び前記第２表示画面を照らす第２発光部を有する通信端末と通信を行う通信部と、
前記第２発光部が所定値よりも大きい発光強度で前記第２表示画面を照らしている発光情報を前記通信端末から受信すると、前記第１発光部の発光強度を、前記第２発光部の発光強度に対応する大きさに制御する制御部と、
を備える、携帯端末。
【請求項２】
前記制御部は、
前記通信端末との距離が所定値よりも大きいと前記通信端末に通知を行う動作モードを実行可能であり、
前記動作モードの実行中に、前記発光情報を前記通信端末から受信すると、前記第１発光部の発光強度を、前記第２発光部の発光強度に対応する大きさに制御する、
請求項１に記載の携帯端末。
【請求項３】
前記動作モードは、前記通信端末によって設定され、前記通信端末との距離が所定値よりも大きい場合に前記携帯端末の位置情報を前記通信端末に通知するモードである、
請求項２に記載の携帯端末。
【請求項４】
前記制御部は、前記通信部が近距離通信で前記発光情報を前記通信端末から受信すると、前記第１発光部の発光強度を、前記第２発光部の発光強度に対応する大きさに制御する、
請求項１から３のいずれか１項に記載の携帯端末。
【請求項５】
前記第１発光部は、第１発光強度又は前記第１発光強度よりも大きい第２発光強度で発光し、
前記制御部は、前記第１発光部が前記第１発光強度で発光している際に前記発光情報を前記通信端末から受信すると、前記第１発光部の発光強度を前記第１発光強度から前記第２発光強度へ切り替える、
請求項１から４のいずれか１項に記載の携帯端末。
【請求項６】
携帯端末の第１表示画面を第１発光部で照らすステップと、
前記携帯端末の通信部が、第２表示画面及び前記第２表示画面を照らす第２発光部を有する通信端末と通信を行うステップと、
前記第２発光部が所定値よりも大きい発光強度で前記第２表示画面を照らしている発光情報を前記通信端末から受信すると、前記第１発光部の発光強度を、前記第２発光部の発光強度に対応する大きさに制御するステップと、
を有する、発光制御方法。
【請求項７】
携帯端末が有するコンピュータに、
前記携帯端末の第１表示画面を第１発光部で照らすステップと、
前記携帯端末の通信部が、第２表示画面及び前記第２表示画面を照らす第２発光部を有する通信端末と通信を行うステップと、
前記第２発光部が所定値よりも大きい発光強度で前記第２表示画面を照らしている発光情報を前記通信端末から受信すると、前記第１発光部の発光強度を、前記第２発光部の発光強度に対応する大きさに制御するステップと、
を実行させるためのプログラム。
【発明の詳細な説明】
【技術分野】
【０００１】
本発明は、携帯端末、発光制御方法及びプログラムに関する。
【背景技術】
【０００２】
液晶ディスプレイを有する携帯端末においては、バックライトによってディスプレイの明るさが調整されている。例えば特許文献１の携帯電話では、ＬＣＤ表示部の表示面が下向きに置かれた場合（ユーザが表示画面を見ない場合）には、バックライトが消灯するように制御される。
【先行技術文献】
【特許文献】
【０００３】
【特許文献１】特開２００６−１０１３３１号公報
【発明の概要】
【発明が解決しようとする課題】
【０００４】
携帯端末の中には、他の通信端末と連携して動作を実行可能なものがある。例えば、通信端末が選択したモードに応じて、携帯端末が動作を行ったりする。この際、携帯端末において表示画面を照らす発光部の動作を、通信端末の動作と連携させると、利便性が高いものとなる。
【０００５】
そこで、本発明はこれらの点に鑑みてなされたものであり、他の通信端末と連携して動作可能な携帯端末において表示画面を照らす発光部の動作を適切に制御できるようにすることを目的とする。
【課題を解決するための手段】
【０００６】
本発明の第１の態様においては、ユーザの装着部位に装着される携帯端末であって、第１表示画面と、前記第１表示画面を照らす第１発光部と、第２表示画面及び前記第２表示画面を照らす第２発光部を有する通信端末と通信を行う通信部と、前記第２発光部が所定値よりも大きい発光強度で前記第２表示画面を照らしている発光情報を前記通信端末から受信すると、前記第１発光部の発光強度を、前記第２発光部の発光強度に対応する大きさに制御する制御部と、を備える、携帯端末を提供する。
【０００７】
また、前記制御部は、前記通信端末との距離が所定値よりも大きいと前記通信端末に通知を行う動作モードを実行可能であり、前記動作モードの実行中に、前記発光情報を前記通信端末から受信すると、前記第１発光部の発光強度を、前記第２発光部の発光強度に対応する大きさに制御することとしてもよい。
【０００８】
また、前記動作モードは、前記通信端末によって設定され、前記通信端末との距離が所定値よりも大きい場合に前記携帯端末の位置情報を前記通信端末に通知するモードであることとしてもよい。
【０００９】
また、前記制御部は、前記通信部が近距離通信で前記発光情報を前記通信端末から受信すると、前記第１発光部の発光強度を、前記第２発光部の発光強度に対応する大きさに制御することとしてもよい。
【００１０】
また、前記第１発光部は、第１発光強度又は前記第１発光強度よりも大きい第２発光強度で発光し、前記制御部は、前記第１発光部が前記第１発光強度で発光している際に前記発光情報を前記通信端末から受信すると、前記第１発光部の発光強度を前記第１発光強度から前記第２発光強度へ切り替えることとしてもよい。
【００１１】
本発明の第２の態様においては、携帯端末の第１表示画面を第１発光部で照らすステップと、前記携帯端末の通信部が、第２表示画面及び前記第２表示画面を照らす第２発光部を有する通信端末と通信を行うステップと、前記第２発光部が所定値よりも大きい発光強度で前記第２表示画面を照らしている発光情報を前記通信端末から受信すると、前記第１発光部の発光強度を、前記第２発光部の発光強度に対応する大きさに制御するステップと、を有する、発光制御方法を提供する。
【００１２】
本発明の第３の態様においては、携帯端末が有するコンピュータに、前記携帯端末の第１表示画面を第１発光部で照らすステップと、前記携帯端末の通信部が、第２表示画面及び前記第２表示画面を照らす第２発光部を有する通信端末と通信を行うステップと、前記第２発光部が所定値よりも大きい発光強度で前記第２表示画面を照らしている発光情報を前記通信端末から受信すると、前記第１発光部の発光強度を、前記第２発光部の発光強度に対応する大きさに制御するステップと、を実行させるためのプログラムを提供する。
【発明の効果】
【００１３】
本発明によれば、他の通信端末と連携して動作可能な携帯端末において表示画面を照らす発光部の動作を適切に制御できるという効果を奏する。
【図面の簡単な説明】
【００１４】
【図１】本発明の第１の実施形態に係る通信システムＳの構成の一例を示す概略図である。
【図２】携帯端末１の表示画面１２の表示例を示す図である。
【図３】通信端末２のモード選択画面の一例を示す図である。
【図４】発光部の発光強度に応じた表示画面１２の明るさの一例を示す図である。
【図５】携帯端末１の機能構成の一例を示すブロック図である。
【図６】子供が、携帯端末１が装着された腕を動かしている状態を示す図である。
【図７】発光部１３の点灯状態を説明するための図である。
【図８】発光部１３の発光強度の切り替え処理の一例を説明するためのフローチャートである。
【図９】第２の実施形態に係る携帯端末１の動作例を示すフローチャートである。
【図１０】第３の実施形態に係る携帯端末１の機能構成の一例を示すブロック図である。
【発明を実施するための形態】
【００１５】
＜第１の実施形態＞
［通信システムの概要］
図１を参照しながら、本発明の第１の実施形態に係る通信システムの概要について説明する。
【００１６】
図１は、第１の実施形態に係る通信システムＳの構成の一例を示す概略図である。図１に示すように、通信システムＳは、携帯端末１と、通信網である携帯電話網Ｎを介して携帯端末１と通信可能な通信端末２とを有する。
【００１７】
携帯端末１は、子供によって使用される装着型端末である。具体的には、携帯端末１は、子供の腕（具体的には手首）に装着される腕時計型端末である。携帯端末１は、表示画面１２と、携帯端末１を手首に固定するためのベルト１８とを有する。表示画面１２には、子供が指でタッチ操作が可能なタッチパネルが重畳されている。また、携帯端末１は、表示画面１２を照らす発光部を有する。発光部の発光強度に応じて、表示画面１２の明るさ（輝度）が調整される。
【００１８】
子供は、手首に携帯端末１が装着された腕を適宜回転や上下動しながら、表示画面１２を見たり、タッチパネルを介して入力操作を行ったりする。携帯端末１は、単独で携帯電話の機能を有しており、子供は、携帯端末１を用いて通話をしたりメールを送受信したりすることができる。
【００１９】
図２は、携帯端末１の表示画面１２の表示例を示す図である。図２（ａ）は、表示画面１２に時計が表示された状態を示している。ユーザである子供が表示画面１２にタッチすると、図２（ｂ）に示すメニュー画面に遷移する。子供は、メニュー画面に表示された複数の項目の中から、処理を実行させたい項目を選択可能である。
例えば、携帯端末１は、子供がメニュー画面の電話を選択すると電話を発信するための画面（図２（ｃ））に切り替え、ウォッチを選択するとタイマー等の時間に関する機能を起動するための画面（図２（ｄ））に切り替える。また、携帯端末１は、子供がメニュー画面のメールを選択するとメッセージをメール送信するための画面（図２（ｅ））に切り替え、履歴を選択すると操作履歴を表示する画面（図２（ｆ））に切り替える。
【００２０】
図１に戻り、通信端末２は、携帯端末１のユーザである子供の親によって使用される端末である。通信端末２は、例えばスマートフォン、携帯電話及びコンピュータ等のように通信機能を有する任意の端末であり、携帯電話網Ｎを介して携帯端末１との間で情報を送受信する。通信端末２では、親が携帯端末１と連携して動作を実行するモードを選択可能である。
【００２１】
図３は、通信端末２のモード選択画面の一例を示す図である。図３に示すモード選択画面では、見守りモード、お出かけモードを選択可能である。
見守りモードは、携帯端末１のユーザである子供の位置や移動状態を追跡するモードである。見守りモードを選択することで、通信端末２は、携帯端末１から通知された子供の位置や移動状態を表示部に表示できる。例えば、子供が所定場所（例えば学校や塾）に到着したり所定場所から出発したりすると、携帯端末１から位置情報等が通信端末２へ通知される。これにより、親は、子供の位置や移動状態を見守ることができる。
【００２２】
お出かけモードは、例えば親と子供が一緒に出かけた際に子供が迷子になることを防止するために、子供（携帯端末１）が親（通信端末２）から所定距離以上離れると、携帯端末１の位置情報等が携帯端末１から通信端末２へ通知される。これにより、親は、迷子になった子供の位置等を容易に把握できる。
通信端末２では、見守りモード及びお出かけモードに限定されず、携帯端末１に対する様々なモードを選択可能である。
【００２３】
本実施形態に係る携帯端末１は、詳細は後述するが、携帯端末１が装着された装着部位である腕の動作状態（例えば、腕の位置、向き及び動き）や携帯端末１の姿勢を検出する。携帯端末１は、検出された腕の動作状態や携帯端末１の姿勢から、例えば子供が表示画面１２を見ているか否かを推定できる。そして、携帯端末１は、腕の動作状態や携帯端末１の姿勢の検出結果に基づいて表示画面１２を照らす発光部の発光強度を切り替える。
例えば、携帯端末１は、子供が表示画面１２を見ていると推定できる腕の動作状態や携帯端末１の姿勢である場合には発光部の発光強度を大きくし、子供が表示画面１２を見ていないと推定できる腕の動作状態や携帯端末１の姿勢である場合には発光部の発光強度を小さくする。これにより、子供は、携帯端末１に入力操作をしなくても、表示画面１２を明るい状態で見ることができる一方で、子供が表示画面１２を見ない時は発光強度を小さくすることで発光部による電力消費量を抑制できる。
【００２４】
図４は、発光部の発光強度に応じた表示画面１２の明るさの一例を示す図である。図４（ａ）は、発光部が弱点灯である場合の表示画面１２を示し、図４（ｂ）は、発光部がフル点灯である場合の表示画面１２を示す。発光部が弱点灯である場合には表示画面１２が暗く、発光部がフル点灯である表示画面１２が明るい。そして、携帯端末１は、子供が表示画面１２を見ていると推定できる腕の動作状態であれば、発光部を図４（ｂ）に示すようなフル点灯に切り替え、子供が表示画面１２を見ていないと推定できる腕の動作状態であれば、発光部を図４（ａ）に示すような弱点灯に切り替える。
【００２５】
［携帯端末の詳細構成］
図５を参照しながら、ユーザが子供である携帯端末１の詳細構成の一例について説明する。
【００２６】
図５は、携帯端末１の機能構成の一例を示すブロック図である。図５に示すように、携帯端末１は、通信ＩＦ部１１と、表示画面１２と、発光部１３と、検出センサ１４と、記憶部１５と、制御部１６とを有する。
【００２７】
通信ＩＦ部１１は、携帯電話網Ｎ（図１）と接続するための無線通信インターフェイスである。通信ＩＦ部１１は、例えば変復調回路、高周波回路及びアンテナを含む。通信ＩＦ部１１は、携帯電話網Ｎを介して通信端末２との間で情報の送受信を行ったり、通話を行ったりする。
【００２８】
表示画面１２は、例えば液晶ディスプレイである。表示画面１２は、制御部１６の制御により、図２に示した各種画面を表示することができる。
【００２９】
発光部１３は、例えば表示画面１２の背面側に設けられたバックライトであり、表示画面１２を照らす。発光部１３は、制御部１６の制御により発光強度を切り替えることで、表示画面１２の明るさを調整する。本実施形態では、発光部１３は、腕の動作状態に応じて、弱点灯とフル点灯とを自動的に切り替える。
【００３０】
検出センサ１４は、子供の動作状態や携帯端末１の姿勢を検出する検出部である。検出センサ１４は、例えば３軸方向の成分を測定可能な加速度センサを有する。検出センサ１４は、加速度センサの出力により、例えば携帯端末１が装着された腕の動作状態（具体的には、腕の位置、向き及び動き）や携帯端末１の姿勢を検出可能である。
【００３１】
図６は、子供が、携帯端末１が装着された腕を動かしている状態を示す図である。携帯端末１が腕に装着されている場合には、図６に示すように腕が上下動したり回転したりすることに伴い、腕の位置や向き等が変化し、加速度センサの出力値も変化する。そして、例えば加速度センサの３軸方向の成分の出力値をそれぞれ見ることで、腕の回転等の際に携帯端末１の表示画面１２が子供に向いている状態か否かを推定できる。携帯端末１の姿勢についても、同様に検出可能である。
【００３２】
なお、検出センサ１４は、加速度センサに加えて又は加速度センサの代わりに、例えば表示画面１２の周囲に設けられ、子供の視線を検出可能な視線検出センサを有してもよい。視線検出センサが視線を検出した場合には、表示画面１２が子供に向いていると推定でき、視線検出センサが視線を検出しない場合には、表示画面１２が子供に向いていないと推定できる。
【００３３】
また、検出センサ１４は、携帯端末１が腕に装着されているか否かを検知する検知部の機能を有する。前述したように、携帯端末１が腕に装着されている場合には、腕が上下動したり回転したりすることに伴い、加速度センサの出力値が大きくなる。一方で、携帯端末１が装着されずに机上等に放置されている場合には、加速度センサの出力値がゼロとなる。このため、加速度センサの出力値を見ることで、携帯端末１が腕に装着されているか否かを判定できる。なお、検出センサ１４は、加速度センサに加えて又は加速度センサの代わりに、腕の温度を検出可能な温度センサを有しても良い。これにより、温度センサが腕の温度を検出した場合には、携帯端末１が腕に装着されていると判定できる。
【００３４】
図５に戻り、記憶部１５は、不揮発性メモリ（例えばＲＯＭ）及び揮発性メモリ（例えばＲＡＭ）を含む。記憶部１５は、制御部１６により実行されるプログラムや、携帯端末１の位置情報及び子供の状態情報を記憶している。また、記憶部１５は、制御部１６がプログラムを実行することにより生成する各種のデータを一時的に記憶している。
【００３５】
記憶部１５は、子供の予定を管理するスケジュールを記憶してもよい。例えば、記憶部１５は、各予定の内容と、当該予定の開始時刻及び終了時刻とを対応付けて、記憶している。予定及び時刻は、子供によって入力されても良いし、親によって入力されてもよい。
また、記憶部１５は、携帯端末１が装着された腕の動きに関する動き情報を記憶してもよい。ここで、動き情報は、腕の回転や上下を示す情報であり、予めユーザが登録可能である。
【００３６】
制御部１６は、例えばＣＰＵである。制御部１６は、記憶部１５に記憶されたプログラムを実行することにより、携帯端末１の各部を制御する。制御部１６は、図５に示すように、通信部１６１と、モード実行部１６２と、判定部１６３と、切替部１６４とを有する。
【００３７】
通信部１６１は、通信ＩＦ部１１を介して通信端末２との間で通信を行う。例えば、通信部１６１は、通信端末２から、携帯端末１の所定の動作モードの実行指示を受信する。具体的には、通信部１６１は、通信端末２で例えば図３に示す見守りモードやお出かけモードが選択されると、選択したモードに対応する動作モードの実行指示を受信する。通信部１６１は、受信した実行指示をモード実行部１６２に出力する。
【００３８】
モード実行部１６２は、通信部１６１が受信した実行指示を受けて、通信端末２で選択されたモードに対応する動作モードを開始させる。例えば、モード実行部１６２は、通信端末２で見守りモードが選択されると、見守りモードに対応した子供の移動状態を追跡して通信端末２に情報を通知する動作モードを開始する。
【００３９】
判定部１６３は、検出センサ１４の検出結果に基づいて、携帯端末１が装着された腕の状態が所定状態にあるか否かを判定する。例えば、判定部１６３は、加速度センサの３軸方向の成分の出力値に基づいて、子供が表示画面１２を見るための腕の動作中か否かを判定する。子供が表示画面１２を見る際には、例えばゆっくりと腕を上げて回転する動作を行うので、このような動作が検出された場合には、判定部１６３は子供が表示画面１２を見るための腕の動作中であると判定する。また、判定部１６３は、検出センサ１４の検出結果に基づいて、携帯端末１が腕に装着されているか否かを判定してもよい。判定部１６３は、判定結果を切替部１６４に出力する。
【００４０】
切替部１６４は、表示画面１２を照らす発光部１３の発光強度を切り替える。すなわち、切替部１６４は、発光部１３の点灯状態を切り替える。点灯状態は、子供の操作に応じて切り替え可能である。
【００４１】
図７は、発光部１３の点灯状態を説明するための図である。図７に示すように、発光部１３は、ここでは無灯状態、弱点灯状態、フル点灯状態に切り替え可能である。例えば、子供が表示画面１２にタッチ操作することで、無灯状態から弱点灯状態に切り替わったり、弱点灯状態からフル点灯状態に切り替わったりする。
【００４２】
本実施形態では、切替部１６４は、子供によるタッチ操作が無くても、検出センサ１４の検出結果に基づいて、発光部１３の発光強度を切り替える。具体的には、切替部１６４は、検出センサ１４により検出された腕の位置、向き及び動きに基づいて、発光部１３の発光強度を切り替える。これにより、切替部１６４は、例えば表示画面１２が子供に向いている場合と表示画面１２が子供に向いていない場合とで、発光部１３の発光強度を自動で切り替えることができる。
【００４３】
切替部１６４は、検出センサ１４の検出結果に基づいて、発光部１３による所定範囲の発光強度のうちの下限側の第１発光強度と、所定範囲の発光強度のうちの上限側の第２発光強度とを切り替える。ここで、第１発光強度は、発光部１３の弱点灯状態に対応する発光強度であり、第２発光強度は、発光部１３のフル点灯状態に対応する発光強度である。なお、第２発光強度は、フル点灯状態に対応する発光強度よりも若干小さい発光強度であってもよい。
【００４４】
切替部１６４は、検出センサ１４の検出結果に基づいて子供が表示画面１２を見るための腕の動作中か否かを判定する判定部１６３の判定結果に応じて、発光部１３の発光強度を切り替えてもよい。例えば、切替部１６４は、判定部１６３によって表示画面１２を見るための腕の動作中であると判定された場合には、発光部１３を第２発光強度に切り替え、表示画面１２を見ることを止めるための腕の動作中であると判定された場合には、発光部１３を第１発光強度に切り替える。これにより、子供が表示画面１２を見る状態では表示画面１２が明るくなり、子供が表示画面１２を見ない状態では表示画面１２が暗くなる。
【００４５】
切替部１６４は、記憶部１５に記憶されたスケジュールに更に基づいて、第１発光強度と第２発光強度とを切り替えてもよい。例えば、切替部１６４は、スケジュールにおいて予定が変わる時刻の所定時間前から所定時間後までは、発光部１３を第１発光強度に設定する。ユーザである子供は、予定が変わる時刻の前後に、予定を確認等するために表示画面１２を見たりタッチ操作を行ったりする可能性が高い。そこで、予定が変わる時刻の所定時間前から所定時間後までフル点灯状態に設定することで、子供は、発光部１３の発光状態を切り替える操作を行わなくても、予定を確認しやすくなるので、携帯端末１の利便性が向上する。
【００４６】
切替部１６４は、検出センサ１４により検出された腕の動きが、記憶部１５に記憶された動き情報が示す動きと同一又は類似する場合に、発光部１３の発光強度を切り替えてもよい。例えば、切替部１６４は、検出された腕の回転や上下動が、記憶部１５に記憶さえた動き情報が示す腕の回転や上下動と同一又は類似する場合に、発光部１３の発光強度を切り替える。これにより、子供が誤って腕を動かした際に発光部１３の発光強度を切り替えることを防止できる。
【００４７】
切替部１６４は、表示画面１２が時刻を示す画面（時刻画面）又はメッセージ受信を示す画面（受信画面）である場合に、検出センサ１４の検出結果に基づいて発光部１３の発光強度を切り替えてもよい。すなわち、切替部１６４は、発光部１３の切り替え直前に時刻画面や受信画面が表示されている場合に、検出センサ１４の検出結果に基づいて発光部１３の発光強度を切り替える。時刻画面や受信画面はユーザが頻繁に確認したい画面であるので、このような画面時に発光強度を切り替えることで、利便性が向上する。
【００４８】
切替部１６４は、検出センサ１４によって携帯端末１が腕に装着されていないと検知された場合には、発光部１３をオフにしてもよい。携帯端末１が腕に装着されていない場合には、子供が表示画面１２を見る可能性が低いので、発光部１３をオフにすることで、発光部１３による電力消費量を効果的に抑制できる。
【００４９】
なお、上記では、発光部１３の第１発光強度が弱点灯状態に対応する発光強度であり、第２発光強度がフル点灯状態に対応する発光強度であることとしたが、これに限定されない。例えば、第１発光強度が、発光部１３の無灯状態に対応する発光強度であり、第２発光強度が、弱点灯状態に対応する発光強度であってもよい。また、第１発光強度が、発光部１３の無灯状態に対応する発光強度であり、第２発光強度が、フル点灯状態に対応する発光強度であってもよい。
【００５０】
また、上記では、携帯端末１の表示部が、液晶ディスプレイとバックライトを含むこととしたが、これに限定されない。例えば、携帯端末１の表示部は、自発光が可能な有機ＥＬディスプレイであってもよい。かかる場合には、携帯端末１は、腕の動作状態に応じて、有機ＥＬディスプレイの発光度合いを切り替えることになる。
【００５１】
また、上記では、携帯端末１が子供の手首に装着される時計型端末であることとしたが、これに限定されない。例えば、携帯端末１は、手首以外の動作可能な装着部位に装着される装着型端末であってもよい。かかる装着型端末においても、検出センサにより装着部位の動作状態を検出可能である。このように、携帯端末１として様々な形態のウェアラブル端末が適用可能である。
【００５２】
［発光部の発光強度の切り替え処理］
図８を参照しながら、携帯端末１が装着された腕の動作状態の検出結果に基づいた発光部１３の発光強度の切り替え処理について説明する。発光部１３の発光強度の切り替え処理は、携帯端末１の制御部１６が記憶部１５に記憶されたプログラムを実行することで実現される。なお、当該プログラムは、外部サーバからダウンロードされたものであってもよい。
【００５３】
図８は、発光部１３の発光強度の切り替え処理の一例を説明するためのフローチャートである。本フローチャートは、発光部１３が弱点灯状態になっているところから開始される。
【００５４】
まず、検出センサ１４が、携帯端末１が装着された腕の動作状態を検出する（ステップＳ１０２）。次に、判定部１６３は、検出センサ１４の検出結果に基づいて腕の動作状態が所定状態であるか否か、ここでは子供が表示画面１２を見るための腕の動作中か否かを判定する（ステップＳ１０４）。
【００５５】
そして、ステップＳ１０４で表示画面１２を見るための腕の動作中であると判定された場合には（Ｙｅｓ）、切替部１６４は、発光部１３を弱点灯状態からフル点灯状態へ切り替える（ステップＳ１０６）。これにより、子供が腕の動作を完了した際には、発光部１３がフル点灯状態となるので、表示画面１２が見やすくなる。一方で、ステップＳ１０４で表示画面１２を見るための腕の動作中ではないと判定された場合には（Ｎｏ）、切替部１６４は、発光部１３の弱点灯状態を維持する。
【００５６】
ステップＳ１０６の後、検出センサ１４は、腕の動作状態を検出する（ステップＳ１０８）。そして、判定部１６３は、子供が表示画面１２を見ることを止めるための動作中か否かを判定する（ステップＳ１１０）。
【００５７】
そして、ステップＳ１１０で表示画面１２を見ることを止めるための動作中であると判定された場合には（Ｙｅｓ）、切替部１６４は、発光部１３をフル点灯状態から弱点灯状態へ切り替える（ステップＳ１１２）。一方で、ステップＳ１１０で表示画面１２を見ることを止めるための動作中ではないと判定された場合には（Ｎｏ）、切替部１６４は、発光部１３のフル点灯状態を維持する。
【００５８】
ステップＳ１１２の後、発光部１３がオフになっていない場合には（ステップＳ１１４：Ｎｏ）、上述したステップＳ１０２〜Ｓ１１２の動作が繰り返される。一方で、ステップＳ１１４で子供の操作等によって発光部１３がオフになった場合には（Ｙｅｓ）、本処理が終了する。
【００５９】
［第１の実施形態における効果］
以上の通り、第１の実施形態に係る携帯端末１は、携帯端末１が装着された装着部位である腕の動作状態（例えば、腕の位置、向き及び動き）や携帯端末１の姿勢を検出し、検出結果に基づいて表示画面１２を照らす発光部１３の発光強度を切り替える。これにより、携帯端末１は、子供が発光強度を切り替える操作を行わなくても、子供の意向を反映する腕の動作状態に応じて発光部１３の発光強度を自動で切り替えることになり、子供の意向に即した発光部１３の動作を適切に制御することが可能となる。
【００６０】
例えば、携帯端末１は、子供が表示画面１２を見ていないと推定できる腕の動作状態や携帯端末１の姿勢である場合には、強度が小さい第１発光強度に切り替え、子供が表示画面１２を見ていると推定できる腕の動作状態や携帯端末１の姿勢である場合には、強度が大きい第２発光強度に切り替える。これにより、子供は、携帯端末１に入力操作をしなくても、表示画面１２を明るい状態で見ることができる一方で、子供が表示画面１２を見ない時は発光強度を小さくすることで発光部１３による電力の消費量を抑制できる。
【００６１】
＜第２の実施形態＞
第１の実施形態では、切替部１６４は、検出センサ１４によって検出された腕の動作状態に応じて、発光部１３の発光強度を切り替える。これに対して、第２の実施形態では、切替部１６４は、通信端末２からのメッセージ（メール）受信や電話着信があると、発光部１３を第２発光強度にした後にオフにする点で、第１の実施形態とは異なる。
【００６２】
具体的には、切替部１６４は、通信部１６１によって通信端末２からのメッセージ受信（又は電話着信）があると、予め設定された所定時間だけ発光部１３をフル点灯状態にした後に、発光部１３をオフにする。メッセージを受信したり電話着信があると、子供は表示画面１２でメッセージの内容等を確認する可能性が高いので、発光部１３をフル点灯状態にしておくことで、子供は、発光部１３の発光状態を切り替える操作を行わなくても、表示画面１２が明るい状態でメッセージ等を確認することができる。
【００６３】
また、切替部１６４は、検出センサ１４によって携帯端末１が腕に装着されていないと検知された場合には、通信端末２からのメッセージ受信又は電話着信があっても、所定時間だけ第２発光強度にした後に発光部１３をオフにする動作を中止させてもよい。これにより、携帯端末１が腕に装着されていない場合には、子供が表示画面１２を見る可能性が低いので、発光部１３をオフにすることで、発光部１３による電力消費量を効果的に抑制できる。
【００６４】
図９は、第２の実施形態に係る携帯端末１の動作例を示すフローチャートである。本フローチャートは、通信部１６１が、通信端末２からメールを受信したところから開始される（ステップＳ２０２）。
【００６５】
次に、検出センサ１４によって携帯端末１が腕に装着されていると検知された場合には（ステップＳ２０４：Ｙｅｓ）、切替部１６４は、発光部１３をフル点灯状態に切り替える（ステップＳ２０６）。そして、切替部１６４は、フル点灯状態への切り替えから所定時間経過すると、発光部１３をオフにする（ステップＳ２０８）。一方で、ステップＳ２０４で携帯端末１が腕に装着されていないと検知された場合には（Ｎｏ）、切替部１６４は、発光部１３をフル点灯した後にオフにする動作を行わない。
【００６６】
なお、上記では、切替部１６４は、発光部１３をフル点灯した後にオフにさせることとしたが、これに限定されない。例えば、切替部１６４は、発光部１３をフル点灯した後に弱点灯させてもよい。
【００６７】
＜第３の実施形態＞
図１０を参照しながら、第３の実施形態について説明する。
図１０は、第３の実施形態に係る携帯端末１の機能構成の一例を示すブロック図である。
【００６８】
第３の実施形態に係る携帯端末１は、図５で説明した機能構成に加えて、バッテリー等の電源部１７を有する。そして、第３の実施形態では、制御部１６は、電源部１７の残量が所定量以下の場合に表示画面１２へのタッチ操作が行われると、検出センサ１４の検出結果に基づく発光強度の切り替えを行わずに発光部１３を発光させる。例えば、制御部１６は、電源部１７の残量が少ない場合には、強度が小さい第１発光強度で発光部１３を発光させる。これにより、電源部１７の残量が少ない場合には、発光部１３による電力消費を抑制できる。
【００６９】
また、第３の実施形態の検出センサ１４は、周囲の環境輝度を検出する輝度検出部の機能も有する。すなわち、検出センサ１４は、周囲が明るいか暗いかを検出する。そして、切替部１６４は、検出センサ１４が検出した環境輝度に応じて、発光部１３の発光強度を切り替える。例えば、切替部１６４は、検出センサ１４によって周囲が暗いことが検出されると、発光部１３の発光強度を第２発光強度に切り替える。すなわち、周囲が暗い場合には、発光部１３の発光強度を第１発光強度にせずに、第２発光強度に切り替える。これにより、第１発光強度に切り替えた後に再度第２発光強度に切り替える場合に比べて、電力消費を抑制できる。
【００７０】
なお、通信端末２も表示画面を照らす発光部（以下、第２発光部と呼ぶ）を有する場合には、携帯端末１は、通信端末２の第２発光部の発光状態と連動して、発光部１３の発光状態を制御してもよい。
例えば、携帯端末１の制御部１６は、通信端末２の第２発光部が第２発光強度に対応する発光強度で発光している発光情報を通信部１６１が通信端末２から受信する（例えば、通信部１６１が、近距離通信で）と、発光部１３の発光強度を第２発光強度に切り替えてもよい。前述したお出かけモードが設定された場合には、通信端末２を使用する親と携帯端末１を使用する子供とが、同じタイミングで各々の端末の表示画面を見たいケースがある。そこで、親が通信端末２の表示画面を見るために第２発光部が発光する際には、携帯端末１も連動して発光部１３を自動で発光させることで、子供が発光部１３の発光状態を切り替える必要が無くなる。
また、携帯端末１の制御部１６は、通信端末２の第２発光部が第２発光強度に対応する発光強度で発光している発光情報を通信部１６１が通信端末２から受信した場合に、発光部１３の発光強度を第１発光強度に切り替える。そして、制御部１６は、第１発光強度への切り替え後に、検出センサ１４の検出結果に基づいて第２発光強度に切り替えてもよい。かかる場合には、子供の意向も反映して発光部１３の発光強度を切り替えることができる。
【００７１】
以上、本発明を実施の形態を用いて説明したが、本発明の技術的範囲は上記実施の形態に記載の範囲には限定されない。上記実施の形態に、多様な変更又は改良を加えることが可能であることが当業者に明らかである。特に、装置の分散・統合の具体的な実施形態は以上に図示するものに限られず、その全部又は一部について、種々の付加等に応じて、又は、機能負荷に応じて、任意の単位で機能的又は物理的に分散・統合して構成することができる。
【符号の説明】
【００７２】
１    携帯端末
２    通信端末
１２    表示画面
１３    発光部
１４    検出センサ
１５    記憶部
１６１    通信部
１６３    判定部
１６４    切替部
１７    電源部
Ｓ    通信システム
【図１】
2018018093.tif 000003
【図２】
2018018093.tif 000004
【図３】
2018018093.tif 000005
【図４】
2018018093.tif 000006
【図５】
2018018093.tif 000007
【図６】
2018018093.tif 000008
【図７】
2018018093.tif 000009
【図８】
2018018093.tif 000010
【図９】
2018018093.tif 000011
【図１０】
2018018093.tif 000012